(57)【要約】【課題】プーリの支持強度を確保するとともに、取付作業のコストダウンおよび作業効率の向上を図ることができるガイドプーリを提供する。【解決手段】被取付部材の平坦な端部に装着するためのスリット部および配索されるインナーケーブルを挿入させる導入部とを有するガイド本体と、前記スリット部の両側に形成される隔壁のうち、一方の隔壁に沿って配置されるプーリと、前記両隔壁に形成される挿入孔および該プーリの孔に挿入されるプーリシャフトとからなるとともに、該プーリシャフトの外周に、前記被取付部材の平坦な端部に形成されるＵ字状のスリットに嵌着するためのネック部が形成されている。【選択図】        図４
2004150060.tif 000002
【特許請求の範囲】
【請求項１】
被取付部材の平坦な端部に装着するためのスリット部および配索されるインナーケーブルを挿入させる導入部とを有するガイド本体と、前記スリット部の両側に形成される隔壁のうち、一方の隔壁に沿って配置されるプーリと、前記両隔壁に形成される挿入孔および該プーリの孔に挿入されるプーリシャフトとからなるとともに、該プーリシャフトの外周に、前記被取付部材の平坦な端部に形成されるＵ字状のスリットに嵌着するためのネック部が形成されてなるガイドプーリ。
【請求項２】
前記ガイド本体に、前記被取付部材に切り起された突起に弾性的に嵌め込まれる係合部が形成されてなる請求項１記載のガイドプーリ。
【請求項３】
窓ガラスを支持するキャリアプレートと、該キャリアプレートの昇降をガイドするためのガイドレールと、前記キャリアプレートから上下方向に配索されるインナーケーブルと、前記ガイドレールの端部に設けられるガイドプーリと、前記インナーケーブルを操作するための回転駆動手段とからなるウインドレギュレータであって、前記ガイドプーリが、前記ガイドレールの端部に装着するためのスリット部および前記インナーケーブルを挿入させる導入部とを有するガイド本体と、前記スリット部の両側に形成される隔壁のうち、一方の隔壁に沿って配置されるプーリと、前記両隔壁に形成される挿入孔および該プーリの孔に挿入されるプーリシャフトとからなるとともに、該プーリシャフトの外周に、前記ガイドレールの端部に形成されるＵ字状のスリットに嵌着するためのネック部が形成されてなるウインドレギュレータ。
【請求項４】
前記ガイド本体に、前記ガイドレールに切り起された突起に弾性的に嵌め込まれる係合部が形成されてなる請求項３記載のウインドレギュレータ。
【発明の詳細な説明】
【０００１】
【発明の属する技術分野】
本発明はガイドプーリおよび該ガイドプーリを備えたウインドレギュレータに関する。さらに詳しくは、たとえば自動車のドアパネル内に固定されるウインドレギュレータに用いられるガイドプーリおよび該ガイドプーリを備えたウインドレギュレータに関する。
【０００２】
【従来の技術】
ウインドレギュレータは、窓ガラスを支持するキャリアプレートと、該キャリアプレートの昇降をガイドするためのガイドレールと、前記キャリアプレートから上下方向に配索されるインナーケーブルと、前記ガイドレールの端部に設けられるガイドプーリと、前記インナーケーブルを操作する回転駆動手段とから構成されている（特許文献１参照）。
【０００３】
前記ガイドプーリは、インナーケーブルの方向転換時の移動を案内するとともに、該インナーケーブルの伝達の際の抵抗損失部を減らすように回転自在にガイドレールに取り付けられている。このガイドプーリの取付けは、まずガイドレールに形成されるプーリシャフト用挿入孔にプーリのシャフト孔を位置決めしたのち、プーリをガイドレール上に配置する。ついでプーリシャフトを前記プーリシャフト用挿入孔およびシャフト孔に挿入して、該プーリシャフトの先端部をガイドレールの裏面に突出させる。つぎに該プーリシャフトの先端部をガイドレールにかしめている。
【０００４】
【特許文献１】
特許第３１１９７６２号公報
【０００５】
【発明が解決しようとする課題】
しかしながら、かかるかしめ加工には、リベッティング装置を用いる必要があるため、設備費にコストが掛かるという問題がある。また、このガイドプーリのかしめ構造では、かしめ工程の作業工程が必要であるとともに、プーリシャフトのかしめ部の大きさが小さいとプーリの支持強度が低下し、大きくするとかしめ加工時間が長くなり作業効率が低下するという問題がある。
【０００６】
本発明は、叙上に事情に鑑み、プーリの支持強度を確保するとともに、取付作業のコストダウンおよび作業効率の向上を図ることができるガイドプーリおよび該ガイドプーリを備えたウインドレギュレータを提供することを目的とする。
【０００７】
【課題を解決するための手段】
本発明のガイドプーリは、被取付部材の平坦な端部に装着するためのスリット部および配索されるインナーケーブルを挿入させる導入部とを有するガイド本体と、前記スリット部の両側に形成される隔壁のうち、一方の隔壁に沿って配置されるプーリと、前記両隔壁に形成される挿入孔および該プーリの孔に挿入されるプーリシャフトとからなるとともに、該プーリシャフトの外周に、前記被取付部材の平坦な端部に形成されるＵ字状のスリットに嵌着するためのネック部が形成されてなることを特徴とする。
【０００８】
本発明のガイドプーリを備えたウインドレギュレータは、窓ガラスを支持するキャリアプレートと、該キャリアプレートの昇降をガイドするためのガイドレールと、前記キャリアプレートから上下方向に配索されるインナーケーブルと、前記ガイドレールの端部に設けられるガイドプーリと、前記インナーケーブルを操作するための回転駆動手段とからなるウインドレギュレータであって、前記ガイドプーリが、前記ガイドレールの端部に装着するためのスリット部および前記インナーケーブルを挿入させる導入部とを有するガイド本体と、前記スリット部の両側に形成される隔壁のうち、一方の隔壁に沿って配置されるプーリと、前記両隔壁に形成される挿入孔および該プーリの孔に挿入されるプーリシャフトとからなるとともに、該プーリシャフトの外周に、前記ガイドレールの端部に形成されるＵ字状のスリットに嵌着するためのネック部が形成されてなることを特徴とする。
【０００９】
【発明の実施の形態】
以下、添付図面に基づいて、本発明のガイドプーリおよび該ガイドプーリを備えたウインドレギュレータを説明する。
【００１０】
本発明の一実施の形態にかかわるウインドレギュレータは、図１〜５に示されるように、窓ガラスを支持するキャリアプレート（図示せず）と、該キャリアプレートの昇降をガイドするためのガイドレール１と、前記キャリアプレートから上下方向に配索されるインナーケーブル２と、前記ガイドレール１の端部に設けられるガイドプーリ３と、前記インナーケーブル２を操作する回転駆動手段（図示せず）とから構成されている。前記ガイドレール１は、ドアパネルに固定される。また、前記回転駆動手段として、自動でインナーケーブル２を循環操作することができるワイヤドラムと電動モータからなるアクチュエータまたは操作ハンドルでインナーケーブル２を循環操作する巻取りドラムからなるものを用いることができる。前記ガイドレール１の端部には、前記ガイドプーリ３の挿入案内と装着後の回転防止のための、ガイドスリット４とフランジ５が形成されている。また、該端部には、後述するプーリシャフト１０のネック部２１を嵌着させるためのＵ字状のスリット６が形成されている。なお、該スリット６およびネック部２１の形状は、プーリシャフト１０の回転を止めるために、角形または小判形にすることもできる。また、本実施の形態では、ガイドレール１とガイドプーリ３の製造誤差、すなわち寸法誤差を吸収して、スリット６とネック部２１の位置決めを確保するために、前記スリット６の開口部に案内部７を形成しているが、案内部７はなくてもかまわない。
【００１１】
前記ガイドプーリ３は、ガイドレール１に対し、平行方向から装着されるガイド本体８と、外周にＵ字状の溝を有するプーリ９と、該プーリ９を回転自在に支持するプーリシャフト１０とから構成されている。
【００１２】
前記ガイド本体８は、ガイドレール１の端部に装着するためのスリット部１１およびアウターケーシング２ａを挿入させる導入部１２を有し、前記スリット部１１により両側に隔壁１３、１４が形成されている。また、この両隔壁１３、１４には、前記プーリシャフト１０を挿入させるための挿入孔１３ａ、１４ａが形成されている。前記プーリ９は、隔壁１３、１４のうち、隔壁１３に沿って配置されている。また、他方の隔壁１４には、前記ガイドスリット４に挿入される案内部１５と前記フランジ５を挿入する案内溝１６が形成されている。
【００１３】
前記プーリシャフト１０は、抜け止めのための頭部１７、大径の回転支持部１８、小径の回転支持部１９および両回転支持部１８、１９とのあいだに環状溝２０を加工して形成される抜け止めのためのネック部２１から構成されている。前記インナーケーブル２の張力でプーリ９が抜けようとする力は、プーリシャフト１０で受けることができる。また、アウターケーシング２ａの反力でガイド本体８が抜けようとする力は、プーリシャフト１０とガイド本体８の挿入孔１４ａが嵌合している部分で受ける。
【００１４】
なお、本実施の形態では、ガイドプーリ３をガイドレール１に確実に固定させるために、ガイドレール１の端面から所定の距離（ガイドプーリ３の最大押込み部の近傍部位）に切り起された突起３１に弾性的に嵌り込むロ字状の係合部３２をガイド本体８に形成する結合構造を採用している。
【００１５】
本実施の形態では、図４〜５に示されるように、まずガイドプーリ８の側部にプーリ９を配置したのち、プーリシャフト１０を隔壁１３、１４の挿入孔１３ａ、１４ａおよび該プーリ９の孔９ａに挿入して、ガイドプーリ３を組立てる。ついで図６（ａ）に示されるように、該ガイドプーリ３を、その案内部１５と案内溝１６（図５参照）を前記ガイドレール１のガイドスリット４とフランジ５に沿わせて水平に押し込む。さらに図６（ｂ）に示されるように、係合部３２の先端を突起３１に当接させたのち、変形させて、図１に示されるように、係合部３２を突起３１に嵌め込ませるとともに、前記プーリシャフト１０のネック部２１をガイドレール１のスリット６に嵌着させる。これにより、ガイドプーリ３とガイドレール１との組付けが完了するとともに、図３に示されるように、大径の回転支持部１８と小径の回転支持部１９とによりガイドレール１のスリット６が挟まれるので、プーリシャフト１０の抜けが防止される。
【００１６】
本実施の形態では、プーリ本体にプーリおよびプーリシャフトをセットして同時に、ガイドレールに取り付けることができるため、プーリ本体、プーリおよびプーリシャフトの３部品からなるガイドプーリを前工程で組立てておけば、１工程でガイドレールへの組付けが完了するため、組立工程を簡略化することができる。
【００１７】
また、前記プーリの支持強度はプーリシャフトの形状寸法で決まるため、従来のようにかしめ工程管理およびその後の保証を省くことができる。
【００１８】
また、メンテナンスのときにガイドレール１からガイドプーリ３を分解する必要がある場合、インナーケーブル２のテンションを開放したのち、係合部３２を弾性変形させて突起３１との係合を解除し、ついでガイドプーリ３をガイドレール１に対して水平に引き抜くことにより、簡単に分解することができる。
【００１９】
なお、本発明におけるガイドプーリは、ウインドレギュレータに用いることに限定されるものではなく、平坦な端部を有する被取付部材であれば、適宜適用することができる。
【００２０】
【発明の効果】
以上説明したとおり、本発明によれば、プーリシャフトの形状寸法によりプーリの支持強度を容易に確保することができる。また、プーリシャフトにガイドレールからの抜け止めのネック部を形成しているため、ガイドプーリのスリットに嵌着させるだけで組み付けが可能となり、取付作業のコストダウンおよび作業効率の向上を図ることができる。
【図面の簡単な説明】
【図１】本発明の一実施の形態にかかわるウインドレギュレータ用ガイドプーリを示す平面図である。
【図２】図２のガイドプーリを示す背面図である。
【図３】図１のＩ−Ｉ線断面図である。
【図４】図１のガイドプーリの分解図である。
【図５】図１のガイドプーリの側面図である。
【図６】ガイドプーリの取付作業手順を説明する図である。
【符号の説明】
１    ガイドレール
２    インナーケーブル
２ａ  アウターケーシング
３    ガイドプーリ
４    ガイドスリット
５    フランジ
６    Ｕ字状のスリット
７、１５    案内部
８    ガイド本体
９    プーリ
９ａ  孔
１０    プーリシャフト
１１    スリット部
１２    導入部
１３、１４    隔壁
１３ａ、１４ａ  挿入孔
１６    案内溝
１７    頭部
１８    大径の回転支持部
１９    小径の回転支持部
２０    環状溝
２１    ネック部
３１    突起
３２    係合部
【図１】
2004150060.tif 000003
【図２】
2004150060.tif 000004
【図３】
2004150060.tif 000005
【図４】
2004150060.tif 000006
【図５】
2004150060.tif 000007
【図６】
2004150060.tif 000008